(57)【要約】 【課題】傘骨に張った傘の布地が傘を閉じたときに自動的に傘の布地が傘骨と柄軸を巻き込む様に折りたためる機能を備えたものはない。【解決手段】柄軸１と傘骨２と傘布３で構成され傘布をたためる傘（図１に示す）であり、２本の傘骨２の間に張設された傘布３ａの中間に放射方向にできる中折目４に沿って傘布３がたたまれるようにすると伴にその各中折目４からその両側の傘骨２までの傘布たたみ区間内の両方または片方に傘布をわん曲状に巻きつける傘布わん曲手段５（図２ａに示す）を付設し、そのわん曲手段５を傘骨２に付設する傘により解決する。これにより、雨で濡れた傘布３に触れることなく傘布３をコンパクトにたたむことができる。さらには、傘布３をバンドで束ねることも不要となり、濡れたバンドに触れる必要がなくなる。【選択図】図３
2010104734.tif 000002
【特許請求の範囲】
【請求項１】
柄軸１、傘骨２、傘布３および傘骨２に付設された傘布わん曲手段５で構成された傘布をたためる傘であって、その傘布わん曲手段５は一端が傘骨２に付設され他端は傘布３の中間に柄軸１を中心として放射方向にできる中折目４に付設され、その傘布わん曲手段５は傘を閉じた状態で傘骨２と柄軸１とを結ぶ直線と付設する部分での傘布わん曲手段５の曲面の接線とのなす角度αが７０〜１１０度となるように傘骨２に付設されていることを特徴とする傘。
【請求項２】
請求項１記載の構成を有する傘であって、傘布わん曲手段５はその一端と他端を結ぶ線に並行な端部を、傘布３の折りたたんだときの折れ目の線に沿って付設されていることを特徴とする折りたたみ傘。
【請求項３】
柄軸１、傘骨２、傘布３および傘骨２に付設された傘布わん曲手段５で構成された傘布をたためる傘であって、その傘布わん曲手段５は一端にねじれ弾性機構６が設けられ、その他端が傘布３の中間に柄軸１を中心として放射方向にできる中折目４に付設され、傘布わん曲手段５はねじれ弾性機構６を介して傘骨２に付設され、ねじれ弾性機構６は傘を閉じた状態で傘骨２と柄軸１とを結ぶ直線と付設する部分でのわんきょく手段５の曲面の接線とのなす角度αが７０〜１１０度となるように傘骨２に付設されていることを特徴とする傘。
【請求項４】
請求項３記載の構成を有する傘であって、傘布わん曲手段５はその一端と他端を結ぶ線に並行な端部を、傘布３の折りたたんだときの折れ目の線に沿って付設されていることを特徴とする折りたたみ傘。
【発明の詳細な説明】
【技術分野】
【０００１】
本発明は、傘骨に張った傘の布地が傘を閉じたときに自動的に折りたためる機能を備えた洋傘（以下、傘と称す）に関する。
【背景技術】
【０００２】
傘は雨の多いときの日用品として欠かせない必需品の一つである。それらの傘には、傘の柄軸の長さが一定である長傘と短くできる折りたたみ傘がある。長傘の中には、傘の柄のボタンを押すことで開くジャンプ傘や閉じることもできる傘、開いたときに傘布の形状が楕円状になるものなど多種多様な形態のものがある。また、柄軸が短くなる折りたたみ傘の中には、傘の柄のボタンを押すことで開くジャンプ傘や閉じることもできる傘、２段だけでなく３段や５段に短く折りたためる折りたたみ傘などの多種多様な形態のものがある。
【０００３】
しかしながら従来の傘は、雨の中で使用した後、傘を閉じたときに傘布が折りたたまれるものの端部が柄軸を中心に放射状に広がったままの状態である。そのため、濡れた傘布で自分の衣服だけでなく電車などの混雑した場所で周囲の人へ迷惑をかけるものである。その迷惑を避けるため、傘を閉じたときには自らの手を濡らすなどの不自由をしながら傘布を柄軸に巻きつける必要がある。
【０００４】
それらの課題を検討すべく、傘布を巻きこむためのいくつかの提案がなされている。例えば、傘布部分にわん曲したばね部材（ピアノ線や板状のバネなど）を取り付けそのわん曲化への復元力を利用し、傘布を巻き取って折りたたもうとする傘（特許文献１、特許文献２、特許文献３）が挙げられる。
【０００５】
さらに折りたたみ傘においてはその構造の複雑さからさらに傘布をおりたたむのが不自由である。傘布の折りたたみしろが多くあることからたたむにあたってそのたたみしろを探しながら折りたたまなければならない。そして、たたみしろを無視しておりたたむと、かさ高となりせっかくの折りたたみ傘のコンパクトなメリットは半減する。
【０００６】
それらの課題を検討すべく、折りたたみ傘をたたみ易くするためのいくつかの提案がなされている。例えば、傘布の周方向折目に外側縁を合致させて熱硬化性合成樹脂系液を傘布面に塗布および含浸させ折目加工してたたみ易くしたおりたたみ傘（特許文献４）や、傘布の折目に金属やプラスチックなどの補助剤を取り付ける折りたたみ傘（特許文献５）が挙げられる。
【０００７】
【特許文献１】昭和６３年実用新案出願公開第１５２４１５号公報
【特許文献２】平成１１年特許公開第１５５６１９号公報
【特許文献３】２０００年特許公開第０６０６１７号公報
【特許文献４】昭和５２年実用新案出願公開第１５７９６３号公報
【特許文献５】平成８年特許公開第２９９０４２号公報
【発明の開示】
【発明が解決しようとする課題】
【０００８】
傘布部分にピアノ線や板状のバネなどわん曲したばね部材を取り付け、傘を閉じたときにばね部材のわん曲化への復元力を利用し傘布を巻き取って傘布をたたもうとする傘の提案がある。しかし、これら提案は単にばね部材のわん曲化への復元力で傘布を巻き取ろうとするものでしかない。すなわち、傘布は傘骨や柄軸の周りに巻きついた状態とはならない。このことから、傘布をばね部材で自動的にたたんだ時に傘布そのものが巻き取られ渦巻き状となり、渦巻き状に巻かれた傘布がかさばった形で柄軸の周りを取り囲む状態となる。この結果、手動で傘布を柄軸の周りに巻き取りバンドで固定する通常のたたみ方とは程遠いものとなる。この場合、渦巻き状に巻かれた傘布が柄軸の周りを取り囲むことから、閉じたときでもかさばった状態となる。
【０００９】
また、ばね部材のわん曲化への復元力を利用し傘布を巻き取って折りたたみ傘の提案の中には、傘布が傘骨や柄軸の周りに巻きついた状態になると記載したものもあるが（特許文献２など）、その状態を実現させる具体的構造の開示はなされていない。しかも、その提案では、傘布を巻き取る傘地湾曲・巻着け手段としての弾性体を付設しているのみであるので、傘布が傘骨や柄軸の周りに巻きつく前に傘布そのものが巻き取られて渦巻き状となり、渦巻き状に巻かれた傘布が柄軸の周りをかさばった形で取り囲む状態となるのは明らかである。
【００１０】
このように従来技術の中には、傘骨に張った傘の布地が、傘を閉じるとともに自動的に傘骨と柄軸に巻きついた状態に折りたためる機能を備えたものはない。
【００１１】
折りたたみ傘においては、たたみ易くするための折目加工や折目の補助材を設けることが提案されている。しかしながら折りたたみ傘においても、雨で使用した傘を閉じたときに自動的に傘の布地が傘骨と柄軸に巻きつく状態に折りたたまれる機能を備えたものはない。
【００１２】
さらには、３段傘の様な折りたたみ傘の傘布の折りたたみ形式では、傘布をたたんで固定するためのバンドが雨に直接当たらない内側に設定されている。そのため、雨で使用直後の傘を閉じた状態ではバンドが内側に位置し、閉じた傘の傘布をバンドで固定しづらい状況となる。特に雨で濡れた傘布を閉じる時には、内側のバンドを外に引き出し、傘布を閉じたのちに内側に位置するバンドフックにバンドを固定しなければならない。このため、バンドを固定しづらいとともに、雨で濡れた傘布を気にしながら取り扱わなければならず、不快感が増すこととなる。
【課題を解決するための手段】
【００１３】
［１］上記課題を解決するための手段としての本発明は、柄軸１、傘骨２、傘布３および傘骨２に付設された傘布わん曲手段５で構成された傘布をたためる傘であって、その傘布わん曲手段５は一端が傘骨２に付設され他端は傘布３の中間に柄軸１を中心として放射方向にできる中折目４に付設され、その傘布わん曲手段５は傘を閉じた状態で傘骨２と柄軸１とを結ぶ直線と付設する部分での傘布わん曲手段５の曲面の接線とのなす角度αが７０〜１１０度となるように傘骨２に付設されていることを特徴とする傘である。
【００１４】
すなわち本発明の傘は、柄軸１、傘骨２、傘布３および傘骨２に付設された傘布わん曲手段５で構成された傘布をたためる傘（事例を図１に示す）であり、２本の傘骨２の間に張設された傘布３ａの中間に放射方向にできる中折目４に沿って傘布３がたたまれるようにすると伴にその各中折目４からその両側の傘骨２までの傘布たたみ区間内の両方または片方に傘布をわん曲状に巻きつける傘布わん曲手段５（事例を図１、図２ａに示す）を付設し、その傘布わん曲手段５を傘骨２に付設する（事例を図３に示す）ことで構成される。そして、傘布わん曲手段５は、傘骨２に付設されるにおいて、傘を閉じた状態で傘骨２と柄軸１とを結ぶ直線と、付設する部分での傘布わん曲手段５の曲面の接線とのなす角度αが７０〜１１０度となるように付設（事例を図４ａに示す）されることで構成される。
【００１５】
そして本発明の傘布わん曲手段５は、傘を開くことで傘布の広がるとともに傘布わん曲手段５が広がり傘骨２の周りを回転する。傘骨２は、傘布わん曲手段５の回転を受けてねじれる。このように傘を開くことで傘布わん曲手段５は伸びてわん曲復元力を蓄え、傘骨２はねじれ解消力を蓄える（事例を図５ｂに示す）。この傘を開く動作において、蓄えるための力のために傘布が広がるのを妨げることは無い。そして本発明の傘は、傘を閉じる過程で傘骨２の蓄えられたねじれ解消力と傘布わん曲手段５に蓄えられたわん曲復元力が働き、傘布３が傘骨２と柄軸１に巻きつくように（事例を図５aに示す）たたまれることを特徴とする傘である。
【００１６】
［２］本発明は、上記構成を有する傘であって、傘布わん曲手段５はその一端と他端を結ぶ線に並行な端部を、傘布３の折りたたんだときの折れ目の線に沿って付設されていることを特徴とする折りたたみ傘である。
すなわち本発明は、傘布わん曲手段５の端部を傘布３の折れ目の線にあわせて設け、傘布３が傘骨２と柄軸１に巻きつくようにたたまれるとともに（事例を図６aに示す）、さらに傘布３を小さく折りたたみやすくした（事例を図６ｂに示す）ことを特徴とする折りたたみ傘である。
【００１７】
［３］本発明は、柄軸１、傘骨２、傘布３および傘骨２に付設された傘布わん曲手段５で構成された傘布をたためる傘であって、その傘布わん曲手段５は一端にねじれ弾性機構６が設けられ、その他端が傘布３の中間に柄軸１を中心として放射方向にできる中折目４に付設され、傘布わん曲手段５はねじれ弾性機構６を介して傘骨２に付設され、ねじれ弾性機構６は傘を閉じた状態で傘骨２と柄軸１とを結ぶ直線と付設する部分での傘布わん曲手段５の曲面の接線とのなす角度αが７０〜１１０度となるように傘骨２に付設されていることを特徴とする傘である。
【００１８】
すなわち本発明の傘は、柄軸１、傘骨２、傘布３および傘骨２に付設された傘布わん曲手段５で構成され傘布をたためる傘であり、２本の傘骨２の間に張設された傘布３ａの中間に放射方向にできる中折目４に沿って傘布３がたたまれるようにすると伴にその各中折目４からその両側の傘骨２までの傘布たたみ区間内の両方または片方に傘布をわん曲状に巻きつける傘布わん曲手段５を付設し、その傘布わん曲手段５にねじれ弾性機構６を設け、ねじれ弾性機構６を傘骨２に付設することで構成される（事例を図２ｂ、図２ｃ、図２ｄに示す）。そしてねじれ弾性機構６は、傘骨２に付設されるにおいて、傘を閉じた状態で傘骨２と柄軸１とを結ぶ直線と、付設する部分での傘布わん曲手段５の曲面の接線とのなす角度αが、７０〜１１０度となるように付設されることで構成される（事例を図４ａに示す）。
【００１９】
そして本発明の傘布わん曲手段５は、傘を開くことで傘布の広がるとともに傘布わん曲手段５が広がり傘骨２の周りを回転する。ねじれ弾性機構６は、傘布わん曲手段５の回転を受けてねじれる。このように傘を開くことで傘布わん曲手段５は伸びてわん曲復元力を蓄え、ねじれ弾性機構６はねじれ解消力を蓄える（事例を図５ｃに示す）。この傘を開く動作において、蓄えるための力のために傘布が広がるのを妨げることは無い。そして本発明の傘は、傘を閉じる過程でねじれ弾性機構６の蓄えられたねじれ解消力と傘布わん曲手段５に蓄えられたわん曲復元力が働き、傘布３が傘骨２と柄軸１に巻きつくように（事例を図５ｄに示す）たたまれることを特徴とする傘である。
【００２０】
［４］本発明は、上記構成を有する傘であって、傘布わん曲手段５はその一端と他端を結ぶ線に並行な端部を、傘布３の折りたたんだときの折れ目の線に沿って付設されていることを特徴とする折りたたみ傘である。
すなわち本発明は、傘布わん曲手段５の端部を傘布３の折れ目の線にあわせて設け、傘布３が傘骨２と柄軸１に巻きつくようにたたまれるとともに（事例を図６aに示す）、さらに傘布３を小さく折りたたみやすくした（事例を図６ｂに示す）ことを特徴とする折りたたみ傘である。
【発明の効果】
【００２１】
雨で使用後の本発明の傘は、たたむと同時に傘布３が傘骨２と柄軸１に巻きつくようにたたまれる。これにより、濡れた傘布３に触れることなく傘布３をコンパクトにたたむことができる。さらには、傘布３をバンド１０で束ねることも不要となり、濡れたバンド１０やバンドフック１１に触れる必要がなくなる。
【００２２】
また、折りたたみ傘においては、たたむと同時に傘布３が傘骨２と柄軸１に巻きつくようにたたまれるとともに、傘布の折りたたみ位置に傘布わん曲手段５の端部が設けられていることから傘布３の折りたたみ場所がわかりやすくなり折りたたみやすくなる。
【００２３】
さらには、たとえば３段傘のように最後までたたむと傘布を束ねるバンド１０が表面に現れるものの、雨で使用後の２段目までの折りたたみではそのバンド１０が傘布の裏側に位置してしまう場合でも、雨で濡れた傘布３に触れることなく傘布３をコンパクトにたたんで束ねることができる。
【発明を実施するための最良の形態】
【００２４】
本発明の実施の形態の事例を図で以下説明する。
【００２５】
図１は、傘を持つ握り手１２を上とした本発明の傘の開いた状態（図１ａ）と傘を閉じ上面から見て柄軸１を中心として右巻きに傘布をたたんだ状態（図１ｂ）を示す本発明の傘の概略構成図である。傘を開いた状態（図１ａ）の図の斜線を引いた部分が傘布わん曲手段５をあらわす。傘の上面から見て傘骨２は柄軸１より放射状に広がり、傘骨２の間の傘布３の中間に中折目４が放射方向にできる。傘布わん曲手段５ａは、傘骨２ａに直接的または間接的に付設されている。右巻きに傘布を閉じる傘には、傘布わん曲手段５ａは傘骨の端２′を上にして傘骨２ａの左側には必ず存在し、右側には存在してもよい。それとは逆に左巻きに傘布をたたむ傘には、傘布わん曲手段５ａは傘骨の端２′を上にして傘骨２ａの右側には必ず存在し、左側には存在してもよい。
【００２６】
傘布わん曲手段５ａは、そのもののがわん曲形状を記憶し、傘布をわん曲させる。さらに、傘骨２ａに直接的または間接的に付設された傘布わん曲手段５ａは、傘骨２ａのまわりを回転運動する。傘が閉じられているときは、傘布わん曲手段５ａは元のわん曲した形体となっており、回転運動の元の位置に位置する。
【００２７】
傘が開かれるに従い、傘布わん曲手段５ａはわん曲した形体から平面あるいは直線への伸長形体となり、同時に回転運動する。これは、傘布わん曲手段５ａが傘骨２ａの左側に存在する場合において、その中折目４のさらに左側の傘布が傘布わん曲手段５ａを引っ張るためである。そして、傘が閉じられるに従い、その左側の傘布の引っ張る力が弱まり、傘布わん曲手段５ａは元の位置まで回転運動しながらわん曲した形状になっていき、元の回転運動位置と元のわん曲した形状に戻る。その結果、本発明の傘は、閉じると同時に傘布３が傘骨２と柄軸１に巻きつくようにたたまれるのである。この傘布わん曲手段５ａの回転運動とわん曲形状への復元がなければ、傘布わん曲手段５ａによって傘布だけが巻き取られ、傘骨２に巻きつくことができない。
【００２８】
傘を閉じ上面から見て柄軸１を中心として左巻きに傘布をたたんだ状態となる場合は、傘布わん曲手段５やねじれ弾性機構６などを設けるにおいて、上記の内容とは対称の関係となる。すなわち、傘が開かれるに従い、傘布わん曲手段５ａはわん曲した形体から平面あるいは直線への伸長形体となり、同時に回転運動する。これは、傘布わん曲手段５ａが傘骨２ａの右側に存在する場合において、その中折目４のさらに右側の傘布が傘布わん曲手段５ａを引っ張るためである。
【００２９】
図２は、傘の上面から見て柄軸１を中心として右巻きに傘布をたたむ場合の、傘布わん曲手段５が傘布を柄軸の周りを取り囲む様にたたむための機構を示す概念図である。図２ａは傘を開いたときに傘布わん曲手段５が回転運動して傘骨２がねじれる場合（傘骨のねじれ部８）の傘布わん曲手段を、図２ａ´は傘布わん曲手段５が中折目４を真ん中にして左右に設けられる場合の傘布わん曲手段を、図２ｂは傘布わん曲手段５にねじれ弾性機構６の要素を持たせた状態の傘布わん曲機構を、図２ｃは傘布わん曲手段５にねじれ弾性機構６を設けた状態の傘布わん曲機構を、図２ｄは傘布わん曲手段５と弾性機構６が金属バネで一体に作られた傘布わん曲機構を示す。
【００３０】
図２ａは、傘を開いたときに傘骨２がねじれる場合（傘骨のねじれ部８）の傘布わん曲手段であって、傘布わん曲手段５が負荷のかかっていないときの形状を示す。傘布わん曲手段５の一端５´は、傘骨２の一カ所または全体に直接付設されており、図２ａの５´のように筒状となって中を傘骨２が通る構造としてもよい。傘布わん曲手段５の他端は、傘布の中折目４に達する。この傘布わん曲手段５のわん曲した形状が、傘を閉じたときに傘布を強制的に巻きつけることとなる。５´の一部あるいは全部が傘骨２に直接付設されていることから、傘を開いたときには傘布わん曲手段５が傘骨２の周りを回転運動し、そのことによって傘骨２がねじられることとなる（図５  傘骨のねじれ部８）。このねじられることにより傘骨２にねじれ解消力が蓄えられ、傘を閉じるに従って傘布わん曲手段５が傘骨２の周りを逆回転運動する原動力となる。そして、傘布が柄軸１のまわりを取り囲むように折りたたまれる。
【００３１】
図２ａ´は、傘布わん曲手段５が中折目４を真ん中にして左右に設けられた場合であって、負荷のかかっていないときの形状を示す。前記と同様に傘布わん曲手段５の一端５´は傘骨２に付設されている。左右の傘布わん曲手段、特に右巻きに傘布を閉じる傘では右側の傘布わん曲手段、左巻きに閉じる傘では傘布湾曲手段の一端が中折り目４の位置で傘布に付設される。傘布わん曲手段５を中折目４の左右に設けるため、傘を閉じたときに傘布をより強く強制的に巻き付ける。
【００３２】
図２ｂは、傘布わん曲手段５がねじれ弾性機構６を設けた傘布わん曲機構であって、負荷のかかっていないときの形状を示す。ねじれ弾性機構６は、弾性特性がある傘布わん曲手段の素材と同じ素材であってよく、傘布わん曲手段の延長部分であってもよい。傘布わん曲手段５を傘骨２に装着するときには、傘布わん曲手段５はねじれ弾性機構６を介して間接的に傘骨２に付設される。すなわち、傘布わん曲手段５側のねじれ弾性機構６とは異なる他端のねじれ弾性機構の一部６´が傘骨２に付設される。このことにより、傘を開いたときには傘布わん曲手段５の傘骨２での回転運動によって弾性機構６がねじられることとなる。このとき、傘骨２はねじられてもねじられなくとも良い。
【００３３】
図２ｃは、傘布わん曲手段５がねじれ弾性部材６を設けた傘布わん曲機構であって、負荷のかかっていないときの形状を示す。ねじれ弾性部材６は、弾性特性がある傘布わん曲手段の素材と異なった素材であってもよい。傘布わん曲手段５を傘骨２に装着するときには、傘布わん曲手段５はねじれ弾性部材６を介して間接的に傘骨２に付設される。このことにより、傘を開いたときには傘布わん曲手段５の傘骨２での回転運動によってねじれ弾性部材６がねじられることとなる。このとき、傘骨２はねじられてもねじられなくとも良い。
【００３４】
図２ｄは、傘布わん曲手段５とねじれ弾性機構６が金属バネで一体となったものを設けた傘布わん曲機構であって、負荷のかかっていないときの形状を示す。図２ｄ１は、金属バネで一体となったものの斜視図を示す。図２ｄ２は、金属バネで一体となったものの正面図を、ｄ２は右横面図を、ｄ３は上面図を示す。傘布わん曲手段５を傘骨２に装着するときには、傘布わん曲手段５はねじれ弾性機構６を介して間接的に傘骨２に付設される。すなわち、傘布わん曲手段５側のねじれ弾性機構６とは異なる他端のねじれ弾性機構の一部６´が傘骨２に固定される。
【００３５】
図３は、傘を閉じたときの上面から見て右巻きに、傘布が傘布わん曲手段５とねじれ弾性機構６で傘布を柄軸まわりに強制的にたたまれた場合の状態を示す概略構成図である。破線部分は、傘布の内側に設置した傘布わん曲手段５を示す。傘布３は、傘骨２と柄軸１に巻きつくようにたたまれる。
【００３６】
図４は、傘布わん曲手段５を直接または間接に傘骨２に付設した状態を示す上面概念図である。図４ａは、傘を閉じた状態で傘骨２と柄軸１とを結ぶ直線と、傘骨２に付設する部分での傘布わん曲手段５の曲面の接線とのなす角度αが７０〜１１０度となるように、傘布わん曲手段５を付設した状態を示す。図４ｂは、傘布わん曲手段５が傘布３を巻き込んだ状態を示す。傘布わん曲手段５の一端に傘布わん曲手段の管状部分５´が設けられた事例であり、その管の中央を傘骨２が貫通する。傘布わん曲手段の管状部分５´の一部が傘骨２に直接付設されたとき、図２ａの傘骨２がねじれる場合の傘布わん曲手段５となる。
【００３７】
また、傘布わん曲手段５側とは異なるねじれ弾性機構６の他の端であるねじれ弾性機構の一部６´が傘骨２に固定されたときに、図２ｂの傘布わん曲手段５にねじれ弾性機構６を持たせた状態や図２ｃのねじれ弾性機構６を設けた状態となる。
傘布わん曲手段の管状部分５´の一部が傘骨２に固定具７で直接付設されたり、ねじれ弾性機構の一部６´が傘骨２に固定具７で直接固定されたりしていることから、傘布わん曲手段の管状部分５´の他の部分は傘骨２の周りを回転運動できる。すなわち、傘を閉じたときの傘布わん曲手段５とねじれ弾性機構６で上面から見て右巻きに傘布が自動的にたたまれた場合、傘を閉じたときには角度αが７０〜１１０度となる。傘を開いたときには、角度αが２５０〜２９０度となる。
【００３８】
図５は、傘の上面から見て柄軸１を中心として右巻きに傘布をたたんだときに、傘を閉じたときの傘布が傘骨２と柄軸１に巻きつく状態（ａ）を示す概略構成図である。また、傘を開いたときの傘骨２がねじれてねじれ解消力を蓄える状態（ａ´）、ねじれ弾性機構６としての素材やばねのねじれ解消力を蓄えるそれぞれの状態（ｂ´）（ｃ´）（ｄ´）を示す概略構成図である。傘布が傘骨２と柄軸１に巻きつく状態（ａ）では、傘布わん曲手段５が傘布の内側に位置することからそれを破線で示し、傘を閉じたときに傘布３を巻きこんだ様子を表している。図５の（ａ´）（ｂ´）（ｃ´）（ｄ´）は、図２のわん曲した状態の（ａ）（ｂ）（ｃ）（ｄ）が実際に傘を開いたときの状態にそれぞれ対応する。
【００３９】
傘を開いたときには、右巻きにたたんだ傘布が開かれることから、矢印に示す如く上面から見て傘布わん曲手段５が傘骨２を中心として左回転しながら開かれて図５の（ａ´）（ｂ´）（ｃ´）（ｄ´）の状態となる。この様に傘を開いたときには回転運動でねじれ解消力を蓄えるが、それと伴に傘布わん曲手段５が伸びてわん曲復元力を蓄える。
【００４０】
図５の傘を開いたときの傘骨２がねじれてねじれ解消力を蓄える状態（ａ´）においては、例えば傘布わん曲手段５が固定具７で傘骨２に付設されていることから、傘を開くとともに傘骨２が矢印方向にねじれて図５の傘骨２のねじれ部８が生じ、ねじれ解消力が蓄えられる。
この図５（ａ´）は、その一端に傘布わん曲手段の管状部分５´が設けられており、管の中央を傘骨２が貫通している例を提示している。
【００４１】
図５のねじれ弾性機構６としての素材やばねの構造でねじれ解消力を蓄えるそれぞれの状態（ｂ´）（ｃ´）においては、例えば傘布わん曲手段５がねじれ弾性機構の一部６´を介して傘骨２に付設されていることから、傘を開くとともにねじれ弾性機構６が矢印方向にねじれて、ねじれ解消力が蓄えられる。
【００４２】
図５の傘布わん曲手段５とねじれ解消力を蓄えるねじれ弾性機構とがばね素材で一体となった状態（ｄ´）においては、例えば傘布わん曲手段５がねじれ弾性機構部分を介して傘骨２に付設されていることから、傘を開くとともにねじれ弾性機構部分が矢印方向にねじれて、ねじれ解消力が蓄えられる。
【００４３】
そして、傘を閉じたときには、蓄積されたねじれ解消力が傘布わん曲手段５に対し傘骨２の周りを回転させ、傘布わん曲手段５に蓄積されたわん曲復元力が傘布を柄軸１のまわりを取り囲むように導く。この様にねじれ解消力があることで、傘布わん曲手段５が単独でわん曲してしまうのを防ぎ、傘布が柄軸１のまわりを取り囲むように折りたたまれる。
【００４４】
図６は、傘布わん曲機構を導入した折りたたみ傘での傘を閉じた状態（ａ）、さらに小さく折りたたんだ時の状態（ｂ）を示す概略構成図である。長傘と同様に、折りたたみ傘でも傘布わん曲手段５とねじれ弾性機構６などを設けることができる。これにより、折りたたみ傘において、傘を閉じたときには、蓄積されたねじれ解消力が傘布わん曲手段５に対し傘骨２の周りを回転させ、傘布わん曲手段５に蓄積されたわん曲復元力が傘布を柄軸１のまわりを取り囲むように導く。
【００４５】
このとき、傘布わん曲手段５の素材の長辺を折りたたみ傘の折目９に沿って設置することで、折りたたみ線の位置が判りやすくなるとともに、傘布そのものも折りたたみ易くすることができる。
【００４６】
傘を閉じ上面から見て柄軸１を中心として左巻きに傘布をたたんだ状態となる場合は、傘布わん曲手段５やねじれ弾性機構６などを設けるにおいて、上述した内容とは対称の関係となる。
【００４７】
本発明における傘布わん曲手段５は、わん曲状態の形状を記憶する素材でできており、金属では鋼等の線状のものや板状のもの、プラスチックではポリプロピレンやポリエチレン等の線状のものや板状のものが挙げられる。そして、傘布わん曲手段５は、傘が開いたときにはわん曲状態が傘布３に合わせて平らや直線になるものの、傘が閉じられるとその記憶したわん曲状態を復元し傘布３を同様にわん曲状態とするものである。その傘布わん曲手段５のわん曲をなす半径は、傘を閉じた時の柄軸１から傘骨２の長さ程度のものがよい。
【００４８】
傘布わん曲手段５の傘骨２に位置する部分は、その断面が傘骨２を包み込む様なコ形形状や円筒形状がよい。特に傘布わん曲手段５が板状の場合は、図２ａに示す如く傘布わん曲手段５の曲面がねじれることなくわん曲状態を保つ様に、傘布わん曲手段５の傘骨２に位置する部分全体が断面がコ形形状や円筒形状がよい。
【００４９】
傘布わん曲手段５が直接または間接に付設される傘骨２に位置する部分は、傘を開いたときに傘骨２がねじれてねじれ解消力を蓄えられる様に固定具７で強固に傘骨２に付設される。固定具７として、接着材や両面テープなどによる直接貼り付ける方法や、金属製部材で挟み込んだり、ねじ込んだりすることが挙げられる。その付設には、傘布わん曲手段５の傘骨２に位置する部分全体でも一部でもよく、傘骨のねじれで傘そのものの破壊の無い様に調整することができる。傘布わん曲手段５とねじれ弾性機構６が金属バネで一体となったものを設ける場合は、ねじれ弾性機構６側の端部であるねじれ弾性機構の一部６´をばねの中心方向に長めに折り曲げ、傘骨２の溝に食い込ませることでも、傘布わん曲手段５が付設されうる。
【００５０】
傘布わん曲手段５と中折目４部分の傘布とは、結合されていなくても結合されていてもよい。傘布わん曲手段５がプラスチックのような素材で平面的であるような場合は、傘布を平面で巻き込むことから結合されていなくてもよい。結合されている場合は、片面テープや両面テープ、糸での縫い合わせ、接着、溶着などの手段で傘布わん曲手段５と中折目４部分の傘布が結合される。例えば、図２ｄのバネ部材の場合は針金部分の端部で中折目４と並行となった部分を傘布に縫い合わせることで、回転運動を妨げることなく結合できる。
【００５１】
本発明において、傘を閉じた状態で傘骨２と柄軸１とを結ぶ直線と、付設する部分での傘布わん曲手段５の曲面の接線とのなす角度αは７０〜１１０度がよいが、さらには７５〜１０５度がよく、８０〜１００度が最もよい。
【００５２】
傘を開いたときに傘布が広がるのを妨げることなく、ねじれ弾性機構６がねじれてねじれ解消力を蓄え、傘布わん曲手段５が伸びてわん曲復元力を蓄える（図５ｃに示す）。このとき、傘骨２にはねじれ解消力を蓄えられても蓄えられなくてもよい。そして、傘を閉じようとする過程でねじれ弾性機構６の蓄えられたねじれ解消力が働き、傘布が傘骨２と柄軸１に巻きつくように（図５ｄに示す）たたまれることを特徴とする傘である。
【００５３】
本発明におけるねじれ弾性機構６は、傘布わん曲手段５の傘骨と接する側を円筒状にしてその中に傘骨２を通し、円筒の一部を傘骨２に付設してその円筒状の部分の素材のねじれに対する復元力を利用したものでもよい（図２ｂに示す）。すなわち、傘を開くときに、傘布わん曲手段５が傘布３の開くに従い回転してわん曲復元力を蓄えながら伸びていくが、傘骨が中にあって一部付設されている円筒状部分は付設されている部分と回転する傘布わん曲手段５によってねじれが生じる。そのねじれに対し、円筒状の部分の素材のねじれに対する元の筒状になろうとする蓄えられた復元力を利用するものでもよい。
【００５４】
本発明におけるねじれ弾性機構６は、ねじれに対し元に戻ろうとする復元力を有する円筒状部材に傘骨２を通し、その円筒状部材の一部を傘布わん曲手段５に付設し、他の一部を傘骨２に付設してその円筒状のねじれに対する復元力を利用したものでもよい（図２ｃに示す）。
【００５５】
本発明におけるねじれ弾性機構６は、ねじれに対し元に戻ろうとする復元力を有する部材を直接傘骨２に付設してもよく、また傘布わん曲手段５と、傘布わん曲手段５を傘骨２に付設するための部材との間に設けてもよい。すなわち後者は、傘布わん曲手段５に復元力を有する部材を備え付け、その復元力を有する部材に傘骨２に付設する部材を備える構造を有するものである。傘骨２に付設する部材は傘骨２に付設されることで、傘布わん曲手段５は間接的に傘骨２に付設される。そして、傘を開いたときに復元力を有する部材がねじれてねじれを解消しようとする復元力が蓄積される（図２ｄに示す）。
【００５６】
復元力を有する部材としては、円筒状のプラスチック素材や鋼の巻きばね、ゴム管やシリコン管が挙げられるが、これらに限られるものではない。
【００５７】
また、さらに本発明の上記構成において、傘布わん曲手段５の端部を傘布３の折れ目の線にあわせて設け、傘布３が傘骨２と柄軸１に巻きつくようにたたまれるとともに（図６ａに示す）、さらに傘布３を小さく折りたたみやすくした（図６ｂに示す）ことを特徴とする折りたたみ傘である。
【００５８】
すなわち、例えば柄軸１が２段階で短くなる折りたたみ傘の真ん中の傘骨２に本発明で用いる傘布わん曲手段５とねじれ弾性機構６を設けることができる。このことにより、雨で使用した折りたたみ傘を第１段階で閉じた時に傘布３が傘骨２と柄軸１に巻きつくようにたたまれる。さらに傘布わん曲手段５を傘布の折目に沿うような形状とすることで、中折目４だけでなくさらに小さく折りたたむための折目が分かり易く折りたたみ易くなる。
【００５９】
（比較例１）
ねじれ弾性機構６を傘骨２に付設することなく傘布わん曲手段５を設けた傘を作成した。この場合、ねじれ弾性機構６が機能しないことから、傘布わん曲手段５により傘布３はそれのみ巻き取られ、傘布３が傘骨２と柄軸１に巻きつくようにたたまれることはなかった。
【００６０】
（比較例２）  
傘を閉じた状態で傘骨２と柄軸１とを結ぶ直線と、付設する部分での傘布わん曲手段５の曲面の接線とのなす角度αが１５０度となるようにねじれ弾性機構６を傘骨２に付設し、傘布わん曲手段５を設けた傘を作成した。この場合、ねじれ弾性機構６が若干機能するものの、先に傘布わん曲手段５により傘布３はそれのみ巻き取られ、傘布３が傘骨２と柄軸１に巻きつくようにたたまれることはなかった。また、１５０度の角度αであるが故に、逆に傘布わん曲手段５が傘布３を膨れさせてコンパクトにたためない状態となった。
【図面の簡単な説明】
【００６１】
【図１】本発明の傘の開いた状態（ａ）と閉じた状態（ｂ）を示す概略構成図。
【図２】傘布わん曲手段５が傘布を柄軸の周りを取り囲む様にたたむための機構を示す概念図。傘の上面から見て柄軸１を中心として右巻きに傘布をたたんだときに、傘骨２がねじれる場合の傘布わん曲手段５（ａ）、傘布わん曲手段５が中折目４を真ん中にして左右に設けられる場合の傘布わん曲機構（ａ´）、傘布わん曲手段５にねじれ弾性機構６の要素を持たせた状態の傘布わん曲機構（ｂ）、傘布わん曲手段５にねじれ弾性機構６を設けた状態の傘布わん曲機構（ｃ）、傘布わん曲手段５とねじれ弾性機構６が金属バネで一体となった傘布わん曲機構（ｄ）を示す概略構成図。
【図３】傘を閉じたときの傘布わん曲手段５とねじれ弾性機構６で上面から見て右巻きに傘布が自動的にたたまれた場合の状態を示す概略構成図。
【図４】傘を閉じた状態で傘骨２と柄軸１とを結ぶ直線と、付設する部分での傘布わん曲手段５の曲面の接線とのなす角度αが７０〜１１０度となるように付設する状態（ａ）と、傘布わん曲手段５が傘布３を巻き込んだ状態（ｂ）を示す上面概念図。
【図５】傘を閉じたときの傘布が傘骨２と柄軸１に巻きつく状態（ａ）と、傘を開いたときの傘骨２が矢印で示した回転運動によりねじれてねじれ解消力を蓄え、傘布わん曲手段５が伸びてわん曲復元力を蓄える状態（ａ´）、ねじれ弾性機構として矢印で示した回転運動によるねじれ解消力を蓄え、傘布わん曲手段５が伸びてわん曲復元力を蓄えるそれぞれの状態（ｂ´）（ｃ´）（ｄ´）を示す概略構成図。
【図６】傘布わん曲機構を導入した折りたたみ傘での傘を閉じた状態（ａ）、それをさらに小さく折りたたんだ時の状態（ｂ）を示す概略構成図。
【符号の説明】
【００６２】
１  柄軸
２  傘骨
２´傘骨の端
３  傘布
４  中折目
５  傘布わん曲手段
５´傘布わん曲手段の管状部分
６  ねじれ弾性機構
６´ねじれ弾性機構の一部
７  固定具
８  傘骨のねじれ部
９  折りたたみ傘の折目
１０  バンド
１１  バンドフック
１２  握り手
【図１】
2010104734.tif 000003
【図２】
2010104734.tif 000004
【図３】
2010104734.tif 000005
【図４】
2010104734.tif 000006
【図５】
2010104734.tif 000007
【図６】
2010104734.tif 000008